(57)【要約】【課題】重質な基材を所定量含有する場合においても、硫黄分の含有割合を０．５０質量％以下に低減し、窒素分の含有割合を低減し得るとともに、セジメントの発生を抑制し、低動粘度にかつＣＣＡＩを所望範囲に容易に制御し得る新規な重油組成物を提供する。【解決手段】硫黄分が０．５０質量％以下、実在セジメントが１質量％以下である直接脱硫重油を１０容量％以上３５容量％未満、直接脱硫重油を除く基材であって、ＣＣＡＩが８９０〜９４０、硫黄分が０．２〜１．２質量％、密度が０．９９０〜１．０５５ｇ／ｃｍ３である基材Ａを１０容量％〜２５容量％、密度が０．８３〜０．９３ｇ／ｃｍ３であり、ＣＣＡＩが８４０以下である軽油留分を４０〜８０容量％含み、硫黄分含有量が０．５質量％以下、動粘度が４〜８０ｍｍ２／秒、ＣＣＡＩが８６０以下、実在セジメントが０．２０質量％以下であることを特徴とする重油組成物である。【選択図】なし【特許請求の範囲】
【請求項１】
硫黄分が０．５０質量％以下、実在セジメントが１．００質量％以下である直接脱硫重油を１０容量％以上３５容量％未満、
直接脱硫重油を除く基材であって、ＣＣＡＩが８９０〜９４０、硫黄分が０．２０質量％〜１．２０質量％、１５℃における密度が０．９９００ｇ／ｃｍ３〜１．０５５０ｇ／ｃｍ３である基材Ａを１０容量％〜２５容量％、
１５℃における密度が０．８３００ｇ／ｃｍ３〜０．９３００ｇ／ｃｍ３でありＣＣＡＩが８４０以下である軽油留分を４０容量％〜８０容量％含み、
硫黄分含有量が０．５０質量％以下、
５０℃における動粘度が４．００ｍｍ２／秒〜８０．００ｍｍ２／秒、
ＣＣＡＩが８６０以下、
実在セジメントが０．２０質量％以下
であることを特徴とする重油組成物。
【請求項２】
前記基材Ａ中の残留炭素分が５．４０質量％以下である請求項１に記載の重油組成物。
【請求項３】
５０℃における動粘度が４．００ｍｍ２／秒〜７５．００ｍｍ２／秒である請求項１または請求項２に記載の重油組成物。
【請求項４】
重油組成物を製造する方法であって、
硫黄分が０．５０質量％以下、実在セジメントが１．００質量％以下である直接脱硫重油が１０容量％以上３５容量％未満、
直接脱硫重油を除く基材であって、ＣＣＡＩが８９０〜９４０、硫黄分が０．２０質量％〜１．２０質量％、１５℃における密度が０．９９００ｇ／ｃｍ３〜１．０５５０ｇ／ｃｍ３である基材Ａが１０容量％〜２５容量％、
１５℃における密度が０．８３００ｇ／ｃｍ３〜０．９３００ｇ／ｃｍ３でありＣＣＡＩが８４０以下である軽油留分が４０容量％〜８０容量％となるように混合して、
硫黄分含有量が０．５０質量％以下、
５０℃における動粘度が４．００ｍｍ２／秒〜８０．００ｍｍ２／秒、
ＣＣＡＩが８６０以下、
実在セジメントが０．２０質量％以下
である重油組成物を得ることを特徴とする重油組成物の製造方法。
【請求項５】
前記基材Ａ中の残留炭素分が５．４０質量％以下である請求項４に記載の重油組成物の製造方法。
【請求項６】
得られる重油組成物の５０℃における動粘度が４．００ｍｍ２／秒〜７５．００ｍｍ２／秒である請求項４または請求項５に記載の重油組成物の製造方法。
【発明の詳細な説明】
【技術分野】
【０００１】
本発明は、重油組成物および重油組成物の製造方法に関する。
【背景技術】
【０００２】
従来より、重油組成物は、各種産業分野において種々の用途に使用されており、ＪＩＳ  Ｋ２２０５において、動粘度により、１種（Ａ重油）、２種（Ｂ重油）及び３種（Ｃ重油）の３種類に分類されている。
これらの重油組成物のうち、Ａ重油は、一般にハウス加温栽培用暖房機やビル等の暖房機用の燃料油として用いられ、Ｂ重油及びＣ重油は、一般に船舶用大型ディーゼルエンジンの燃料油や、工場、発電所、地域冷暖房などの大規模ボイラーの燃料油として用いられている。
【０００３】
このうち、Ｃ重油は他の重油と比較して粘性が高いものであることから、基材配合も他の重油と相違し、通常、減圧残渣油に対して軽油留分を若干割合配合してなるものとなっている。
【０００４】
近年、環境負荷を低減し煙道腐食を抑制するという観点から、重油基材となる残渣油の低硫黄化が検討されており、このような低硫黄化した基材を用いた重油組成物が求められるようになっている。
特に、船舶用燃料油として使用されるＣ重油相当の重油組成物については、ＩＭＯ（国際海事機関）の定める国際条約（ＭＡＲＰＯＬ条約）によって硫黄分の含有量が段階的に規制され、今後、０．５０質量％以下に低減することが求められている。
【０００５】
加えて、Ｃ重油相当の重油組成物、すなわち内燃機関で使用される重油組成物においては、着火性および燃焼性に優れることが求められる。
Ｃ重油相当の重油組成物の着火性の指標としては、重油組成物の１５℃における密度および５０℃における動粘度から算出されるＣＣＡＩ（Calculated Carbon Aromaticity Index）が知られており、一般的には、ＣＣＡＩが高い重油組成物ほど着火性が低いとされている。
【０００６】
一方、近年の社会情勢として、エネルギー供給構造高度化法（正式名称：「エネルギー供給事業者による非化石エネルギー源の利用及び化石エネルギー原料の有効な利用の促進に関する法律」）の制定に代表されるように、石油資源の有効活用が着目されるようになっており、かかる観点から、重質な基材を一定量活用した重油組成物が望まれるようになっている。
このような重油組成物として、本出願人は、流動接触分解装置又は残油流動接触分解装置から得られる残渣油であるスラリーオイルに対し軽油留分等を配合してなる燃料油組成物を提案するに至っている（特許文献１（特開２０１８−１６５３６７号公報）参照）。
【先行技術文献】
【特許文献】
【０００７】
【特許文献１】特開２０１８−１６５３６７号公報
【発明の開示】
【発明が解決しようとする課題】
【０００８】
特許文献１記載の燃料油組成物によれば、重質なスラリーオイルの有効活用を図りつつ、硫黄分の含有量が低減され、着火性に優れた重油組成物相当の燃料油組成物を提供することができる。
【０００９】
しかしながら、一般にＣ重油を構成する減圧蒸留残渣油は硫黄分が非常に高い基材であることが知られており、上記スラリーオイルも硫黄分の含有割合が比較的高いものであることから、今後益々高まるであろう重油組成物中の硫黄分含有量の低減要請に応えきれない場合が想定される。
また、環境負荷を低減するという観点からは、硫黄分とともに窒素分の含有割合が低減された重油組成物が求められるが、上記減圧蒸留残渣油等の重質基材は、一般に窒素分の含有割合が高い基材であることが知られている。
【００１０】
さらに、上述したように、Ｃ重油相当の重油組成物は、残渣油の含有割合が高く粘性の高いものであることから、一般に着火性を向上させ難いことに加え、一般に残渣油等の重質基材はセジメントを生じ易いことから、Ｃ重油相当の重油組成物を構成する重質基材として、代替する重質基材を見出し難かった。
【００１１】
このような状況下、本発明は、重質な基材を所定量含有する場合においても、硫黄分の含有割合を０．５０質量％以下に低減し、窒素分の含有割合を低減し得るとともに、セジメントの発生を抑制し、低動粘度にかつＣＣＡＩを所望範囲に容易に制御し得る新規な重油組成物を提供するとともに、係る重油組成物の製造方法を提供することを目的とするものである。
【課題を解決するための手段】
【００１２】
上記課題を解決するために、本発明者は、重質基材に代えて、重質基材に配合する軽油留分の割合を増加させることを着想した。
従来、重質基材に配合する軽油留分の配合割合を増加させると、得られる重油組成物において性状が不安定化し易くなってセジメントを発生させ易くなったり所望の発熱量が得られ難くなることから、これまで殆ど検討されるに至っていなかった。
しかしながら、本発明者が鋭意検討したところ、各々特定性状を有する直接脱硫重油および接触分解残渣油に相当する基材（基材Ａ）を特定性状を有する軽油留分に対して一定割合で配合することにより、硫黄分や窒素分の含有割合を効果的に低減し、セジメントの発生を抑制しつつ、低動粘度にかつＣＣＡＩを所望範囲に容易に制御し得る重油組成物を提供し得ることを見出して、本発明を完成するに至ったものである。
【００１３】
すなわち、本発明は、
（１）硫黄分が０．５０質量％以下、実在セジメントが１．００質量％以下である直接脱硫重油を１０容量％以上３５容量％未満、
直接脱硫重油を除く基材であって、ＣＣＡＩが８９０〜９４０、硫黄分が０．２０質量％〜１．２０質量％、１５℃における密度が０．９９００ｇ／ｃｍ３〜１．０５５０ｇ／ｃｍ３である基材Ａを１０容量％〜２５容量％、
１５℃における密度が０．８３００ｇ／ｃｍ３〜０．９３００ｇ／ｃｍ３であり、ＣＣＡＩが８４０以下である軽油留分を４０容量％〜８０容量％含み、
硫黄分含有量が０．５０質量％以下、
５０℃における動粘度が４．００ｍｍ２／秒〜８０．００ｍｍ２／秒、
ＣＣＡＩが８６０以下、
実在セジメントが０．２０質量％以下
であることを特徴とする重油組成物、
（２）前記基材Ａ中の残留炭素分が５．４０質量％以下である上記（１）に記載の重油組成物、
（３）５０℃における動粘度が４．００ｍｍ２／秒〜７５．００ｍｍ２／秒である上記（１）または（２）に記載の重油組成物、
（４）重油組成物を製造する方法であって、
硫黄分が０．５０質量％以下、実在セジメントが１．００質量％以下である直接脱硫重油が１０容量％以上３５容量％未満、
直接脱硫重油を除く基材であって、ＣＣＡＩが８９０〜９４０、硫黄分が０．２０質量％〜１．２０質量％、１５℃における密度が０．９９００ｇ／ｃｍ３〜１．０５５０ｇ／ｃｍ３である基材Ａが１０容量％〜２５容量％、
１５℃における密度が０．８３００ｇ／ｃｍ３〜０．９３００ｇ／ｃｍ３であり、ＣＣＡＩが８４０以下である軽油留分が４０容量％〜８０容量％となるように混合して、
硫黄分含有量が０．５０質量％以下、
５０℃における動粘度が４．００ｍｍ２／秒〜８０．００ｍｍ２／秒、
ＣＣＡＩが８６０以下、
実在セジメントが０．２０質量％以下
である重油組成物を得ることを特徴とする重油組成物の製造方法、
（５）前記基材Ａ中の残留炭素分が５．４０質量％以下である上記（４）に記載の重油組成物の製造方法、
（６）得られる重油組成物の５０℃における動粘度が４．００ｍｍ２／秒〜７５．００ｍｍ２／秒である上記（４）または（５）に記載の重油組成物の製造方法
を提供するものである。
【発明の効果】
【００１４】
本発明によれば、重質な基材を所定量含有する場合においても、硫黄分の含有割合を０．５０質量％以下に低減し、窒素分の含有割合を低減し得るとともに、セジメントの発生を抑制し、低動粘度にかつＣＣＡＩを所望範囲に容易に制御し得る新規な重油組成物を提供するとともに、係る重油組成物の製造方法を提供することができる。
【発明を実施するための形態】
【００１５】
以下、本発明を実施するための形態について詳細に説明する。
なお、本明細書中、数値範囲を現す「〜」は、その上限及び下限としてそれぞれ記載されている数値を含む範囲を表す。また、「〜」で表される数値範囲において上限値のみ単位が記載されている場合は、下限値も同じ単位であることを意味する。
本明細書に段階的に記載されている数値範囲において、ある数値範囲で記載された上限値又は下限値は、他の段階的な記載の数値範囲の上限値又は下限値に置き換えてもよい。
本明細書において組成物中の各成分の含有率又は含有量は、組成物中に各成分に該当する物質が複数種存在する場合、特に断らない限り、組成物中に存在する当該複数種の物質の合計の含有率又は含有量を意味する。
本明細書において、好ましい態様の組み合わせは、より好ましい態様である。
【００１６】
本明細書において、下記項目の値は、特に断らない限り、以下の試験法方及び計算を用いて求めた値を意味する。
・「１５℃における密度」；
ＪＩＳ  Ｋ  ２２４９−１（２０１１）「原油製品及び石油製品―密度試験方法」
・「硫黄分」；
測定対象となる試料中に含まれる硫黄分の含有量に応じて、下記測定方法１又は測定方法２のいずれかの方法により測定した。
測定方法１（硫黄分含有量が０．００５１質量％以上の場合）：
ＪＩＳ  Ｋ  ２５４１−７（２００３）「原油及び石油製品−硫黄分試験方法」に規定する「波長分散蛍光Ｘ線法」
測定方法２（硫黄分含有量が０．００５０質量％以下の場合）：
ＪＩＳ  Ｋ  ２５４１−６（２０１３）に規定する「原油及び石油製品−硫黄分試験方法」（紫外蛍光法）。
・「窒素分」
ＪＩＳ  Ｋ  ２６０９（１９９８）に規定する「原油及び石油製品−窒素分析試験方法」（化学発光法）。
・「５０℃における動粘度」；
ＪＩＳ  Ｋ  ２２８３（２０００）「原油及び石油製品―動粘度試験方法」
・「ＣＣＡＩ」；
下記式（α）に示す計算方法で求めた値を意味する。
ＣＣＡＩ＝Ｄ−１４０．７ｌｏｇ１０ｌｏｇ１０(Ｖ＋０.８５)−８０．６  （α）
式（α）中、Ｄは上記方法により測定した１５℃における密度（ｋｇ／ｍ3）、Ｖは上記方法により測定した５０℃における動粘度（ｍｍ2／ｓ）を示す。
・「実在セジメント」
ＩＳＯ  １０３０７−１：２００９「Ｐｅｔｒｏｌｅｕｍ ｐｒｏｄｕｃｔｓ― Ｔｏｔａｌ  ｓｅｄｉｍｅｎｔ  ｉｎ  ｒｅｓｉｄｕａｌ  ｆｕｅｌ  ｏｉｌｓ―」によって測定した値を意味する。
・「残留炭素分」
残留炭素分は、ＪＩＳ  Ｋ２２７０により測定した値を意味する。
【００１７】
先ず、本発明の重油組成物について説明する。
本発明の重油組成物は、硫黄分が０．５０質量％以下、実在セジメントが１．００質量％以下である直接脱硫重油を１０容量％以上３５容量％未満、
直接脱硫重油を除く基材であって、ＣＣＡＩが８９０〜９４０、硫黄分が０．２０質量％〜１．２０質量％、１５℃における密度が０．９９００ｇ／ｃｍ３〜１．０５５０ｇ／ｃｍ３である基材Ａを１０容量％〜２５容量％、
１５℃における密度が０．８３００ｇ／ｃｍ３〜０．９３００ｇ／ｃｍ３であり、ＣＣＡＩが８４０以下である軽油留分を４０容量％〜８０容量％含み、
硫黄分含有量が０．５０質量％以下、
５０℃における動粘度が４．００ｍｍ２／秒〜８０．００ｍｍ２／秒、
ＣＣＡＩが８６０以下、
実在セジメントが０．２０質量％以下
であることを特徴とするものである。
【００１８】
本発明の重油組成物は、硫黄分が０．５０質量％以下、実在セジメントが１．００質量％以下である直接脱硫重油を１０容量％以上３５容量％未満含むものである。
【００１９】
直接脱硫重油は、常圧蒸留残油、減圧蒸留残油またはこれらの混合物を水素化脱硫して得られる重質な留分である。
水素化脱硫に用いる直接脱硫装置としては、特に制限はなく、公知の装置を適用することができる。
【００２０】
直接脱硫重油は、重油組成物を構成する重質基材として従来から使用されてきた減圧蒸留残渣油に比較すると、脱硫工程で受けた熱等によりセジメントが発生し易く、係るセジメントは燃焼不良を生じる場合がある。
しかしながら、本発明の重油組成物によれば、特定性状を有する直接脱硫重油に対し、各々特定性状を有する基材Ａおよび軽油留分を特定割合で配合することによって、セジメントの発生を好適に抑制することができる。
【００２１】
また、直接脱硫重油は、従来の重油組成物の主基材として用いられている減圧蒸留残渣油と比べて硫黄分の含有量が少ないため、重油組成物が直接脱硫重油を含有することで、組成物中の硫黄分の含有量を低減し、かつ、重油組成物に適した動粘度に容易に調整することができる。
【００２２】
直接脱硫重油は、硫黄分の含有割合が、０．５０質量％以下であり、０．１０質量％〜０．４７質量％であるものが好ましく、０．１０質量％〜０．４５質量％であるものがより好ましい。 
直接脱硫重油中の硫黄分はより少ないことが好ましいが、直接脱硫重油中の硫黄分を過度に低減しようとすると、脱硫原料油が制約されたり、過酷な処理条件等が必要になるたり、コストアップに繋がり易くなる。
直接脱硫重油中の硫黄分含有割合が上記範囲内にあることにより、重油組成物の硫黄分含有量を容易に調整することができる。
【００２３】
直接脱硫重油は、窒素分の含有割合が、０．０５質量％〜０．２０質量％であるものが好ましく、０．０５質量％〜０．１８質量％であるものがより好ましく、０．０５質量％〜０．１６質量％であるものがさらに好ましい。
直接脱硫重油中の窒素分が上記範囲内にあることにより、重油組成物の窒素分含有量を容易に調整することができる。
【００２４】
直接脱硫重油は、残留炭素分の含有割合が、７．００質量％以下（０．００質量％〜７．００質量％）であるものが好ましく、６．９０質量％以下（０．００質量％〜６．９０質量％）であるものがより好ましく、６．８０質量％以下（０．００質量％〜６．８０質量％）であるものがさらに好ましい。
本発明に係る重油組成物は、直接脱硫重油の残留炭度分が上記範囲内に制御されていることにより、燃焼室内でのカーボンの生成を効果的に抑制することができる。
【００２５】
直接脱硫重油は、１５℃における密度が、０．９１００ｇ／ｃｍ３〜０．９３７０ｇ／ｃｍ３であるものが好ましく、０．９１００ｇ／ｃｍ３〜０．９３５０ｇ／ｃｍ３であるものがより好ましく、０．９１００ｇ／ｃｍ３〜０．９３３０ｇ／ｃｍ３であるものがさらに好ましい。
１５℃における密度が、上記範囲内にある直接脱硫重油を用いて調製された重油組成物は、容量当りの発熱量を大きくすることができ、かつ燃焼の不均一性や燃焼障害の発生を容易に抑制することができる。
【００２６】
直接脱硫重油は、５０℃における動粘度が、８０．００ｍｍ２／ｓ〜２７０．０ｍｍ２／ｓであるものが好ましく、８２．００ｍｍ２／ｓ〜２７０．０ｍｍ２／ｓｍｍ２／ｓであるものがより好ましく、８４．００ｍｍ２／ｓ〜２７０．０ｍｍ２／ｓであるものがさらに好ましい。
５０℃における動粘度が上記範囲内にある直接脱硫重油を用いて調製された重油組成物は、内燃機関で使用した場合の噴霧状態が良好なため、燃焼の不均一性及び失火を抑制することができ、また重油組成物を安定して機関に供給することができる。
【００２７】
直接脱硫重油は、ＣＣＡＩが、８１０以下であるものが好ましく、７９０〜８０８であるものがより好ましく、７９０〜８０６であるものがさらに好ましい。
直接脱硫重油のＣＣＡＩが上記範囲内にある直接脱硫重油を用いて調製された重油組成物は、良好な着火性を容易に発揮することができる。
【００２８】
直接脱硫重油は、実在セジメント量が、１．００質量％以下（０質量％〜１．００質量％）であるものであり、０．９５質量％以下（０質量％〜０．９５質量％）であるものが好ましく、０．９０質量％以下（０質量％〜０．９０質量％）であるものがより好ましい。
本発明の重油組成物は、直接脱硫重油の実在セジメント量が上記範囲内にあるため、セジメントの発生を効果的に抑制することができる。
することができる。
【００２９】
本発明の重油組成物において、直接脱硫重油の含有割合は、１０容量％以上３５容量％未満であり、１２容量％〜３５容量％であることがより好ましく、１４容量％〜３５容量％であることがさらに好ましい。
【００３０】
本発明の重油組成物は、各々特定性状を有する基材Ａおよび軽油留分を所定量含むとともに、上記特定性状を有する直接脱硫重油を上記範囲で含むことにより、硫黄分の含有割合を低減し、セジメントの発生を抑制しつつ、低動粘度にかつＣＣＡＩを所望範囲に容易に制御することができる。
【００３１】
本発明の重油組成物は、直接脱硫重油を除く基材であって、ＣＣＡＩが８９０〜９４０、硫黄分が０．２０質量％〜１．２０質量％、１５℃における密度が０．９９００ｇ／ｃｍ３〜１．０５５０ｇ／ｃｍ３である基材Ａを１０容量％〜２５容量％含むものである。
【００３２】
基材Ａとしては、接触分解残渣油のほか、例えば、接触分解重油、スラリーオイル、間接脱硫重油等の重油留分、常圧蒸留残油、エチレンボトム油、溶剤脱れき油等から選ばれる一種以上を挙げることができる。
接触分解残渣油は、各々流動接触分解装置又は残油流動接触分解装置から得られる、沸点がおよそ２００℃〜８００℃の重質留分、沸点範囲がおよそ２００℃〜５００℃の重質留分である上記接触分解重油および上記スラリーオイルから選ばれる一種または二種以上の混合物である。
流動接触分解装置又は残油流動接触分解装置としては、特に制限はなく、公知の装置を用いることができる。
【００３３】
基材Ａは、ＣＣＡＩが、８９０〜９４０であり、８９２〜９４０であるものが好ましく、８９４〜９４０であるものがより好ましい。
基材ＡのＣＣＡＩが上記範囲内にあることにより、重油組成物が所望量の芳香族分等を含むことになり、潜在セジメントを抑制することができる。また、着火性の低下を容易に抑制することができる。
【００３４】
基材Ａは、硫黄分の含有割合が、０．２０質量％〜１．２０質量％であり、０．２０質量％〜１．１０質量％であるものが好ましく、０．２０質量％〜１．００質量％であるものがさらに好ましい。
基材Ａの硫黄分の含有割合が上記範囲内にあることにより、重油組成物中の硫黄分を０．５０質量％以下に容易に調整することができる。
【００３５】
基材Ａは、窒素分の含有割合が、０．２０質量％以下であるものが好ましく、０．１９質量％以下であるものがより好ましく、０．１８質量％以下であるものがさらに好ましい。
基材Ａ中の窒素分が上記範囲内にあることにより、重油組成物の窒素分含有量を容易に調整することができる。
【００３６】
基材Ａは、残留炭素分の含有割合が、５．４０質量％以下（０．００質量％〜５．４０質量％）であるものが好ましく、５．２０質量％以下（０．００質量％〜５．２０質量％）であるものがより好ましく、５．００質量％以下（０．００質量％〜５．００質量％）であるものがさらに好ましい。
本発明に係る重油組成物において、基材Ａの残留炭度分が、上記範囲内に制御されたものであることにより、燃焼室内でのカーボンの生成を効果的に抑制することができる。
【００３７】
基材Ａは、１５℃における密度が、０．９９００ｇ／ｃｍ３〜１．０５５０ｇ／ｃｍ３であり、０．９９００ｇ／ｃｍ３〜１．０５００ｇ／ｃｍ３であるものがより好ましく、０．９９００ｇ／ｃｍ３〜１．０４５０ｇ／ｃｍ３であるものがさらに好ましい。
基材Ａの１５℃における密度が上記範囲内にあることにより、得られる重油組成物におけるセジメント発生を効率的に抑制し、着火性の低下を抑制することができる。
【００３８】
基材Ａは、５０℃における動粘度が、１０．００ｍｍ２／ｓ〜８５．００  ｍｍ２／ｓであるものが好ましく、１４．００ｍｍ２／ｓ〜８５．００ｍｍ２／ｓであるものがより好ましく、１８．００ｍｍ２／ｓ〜８５．００ｍｍ２／ｓであるものがさらに好ましい。
基材Ａの５０℃における動粘度が上記範囲内にあることにより、上記範囲内にある直接脱硫重油を用いて調製された重油組成物は、工業炉やボイラー等に対して安定して供給することが可能となり、内燃機関で使用した場合には噴霧状態が良好となるため、燃焼の不均一性及び失火を抑制することができる。
【００３９】
基材Ａは、実在セジメント量が、０．１０質量％以下（０．００質量％〜０．１０質量％）であるものが好ましく、０．０８質量％以下（０．００質量％〜０．０８質量％）であるものがより好ましく、０．０６質量％以下（０．００質量％〜０．０６質量％）であるものがさらに好ましい。
本発明の重油組成物は、実在セジメント量が上記範囲内にある基材Ａを含むことにより、セジメントの発生を効果的に抑制することができる。
【００４０】
本発明の重油組成物における基材Ａの含有割合は、１０容量％〜２５容量％、１２容量％〜２５容量％であることが好ましく、１４容量％〜２５容量％であることがより好ましい。
【００４１】
本発明の重油組成物は、特定性状を有する直接脱硫重油を所定量含むとともに、各々特定性状を有する基材Ａおよび後述する軽油留分を所定量含むことにより、硫黄分の含有割合を低減し、セジメントの発生を抑制しつつ、低動粘度にかつＣＣＡＩを所望範囲に容易に制御することができる。
【００４２】
本発明の重油組成物は、１５℃における密度が０．８３００ｇ／ｃｍ３〜０．９３００ｇ／ｃｍ３であり、ＣＣＡＩが８４０以下である軽油留分を４０容量％〜８０容量％含む。
【００４３】
本出願書類において、軽油留分とは、軽油やＡ重油の基材、減圧蒸留残渣のカットバックに用いられる基材として通常使用し得る、沸点範囲１７０〜６００℃程度のものを意味し、例えば、接触分解軽油、直留軽油、減圧軽油、直接脱硫軽質軽油、直接脱硫重質軽油、水素化脱硫軽油、間接脱硫減圧軽油、熱分解軽油、重質接触分解軽油、脱硫減圧軽油等から選ばれる一種以上を挙げることができる。本出願書類において、軽油留分は、所定の物性を有する二種以上の軽油基材の混合物からなるものであってもよい。
なお、本出願書類において、上記「カットバック」とは、動粘度の低減や硫黄分の低減等を目的として残渣油に軽質基材を混合することを意味し、また、上記軽油留分としては、直接脱硫重油、接触分解残渣油に相当する基材（基材Ａ）、減圧蒸留残渣に軽質基材を混合したカットバック残油（ＣＢＲ−Ｈ）を除くものとする。  
【００４４】
軽油留分は、硫黄分の含有割合が、０．５０質量％以下であるものが好ましく、０．４７質量％以下であるものがより好ましく、０．４５質量％以下であるものがさらに好ましい。
軽油留分の硫黄分の含有割合が上記範囲内にあることにより、重油組成物中の硫黄分を０．５０質量％以下に容易に調整することができる。
【００４５】
軽油留分は、窒素分の含有割合が、０．１０質量％以下であるものが好ましく、０．０９質量％以下であるものがより好ましく、０．０８質量％以下であるものがさらに好ましい。
軽油留分中の窒素分が上記範囲内にあることにより、重油組成物の窒素分含有量を容易に調整することができる。
【００４６】
軽油留分は、１５℃における密度が、０．８３００ｇ／ｃｍ３〜０．９３００ｇ／ｃｍ３であるものが好ましく、０．８３２０ｇ／ｃｍ３〜０．９３００ｇ／ｃｍ３であるものがより好ましく、０．８３４０ｇ／ｃｍ３〜０．９３００ｇ／ｃｍ３であるものがさらに好ましい。
軽油留分の１５℃における密度が、上記範囲内にあることにより、重油組成物は、容量当りの発熱量を大きくすることができ、かつ燃焼の不均一性や燃焼障害の発生を容易に抑制することができる。
１５℃における密度が上記範囲の上限値よりも高くなると、得られる重油組成物の芳香族性が高くなったり重質化が進行し、燃焼性が低下し易くなる。
【００４７】
軽油留分は、５０℃における動粘度が、１．４０ｍｍ２／ｓ〜５０．００ｍｍ２／ｓであるものが好ましく、１．４０ｍｍ２／ｓ〜４６．００ｍｍ２／ｓであるものがより好ましく、１．４０ｍｍ２／ｓ〜４２．００ｍｍ２／ｓであるものがさらに好ましい。
軽油留分の５０℃における動粘度が上記範囲内にあることにより、本発明に係る重油組成物を、工業炉やボイラー等に対して安定して供給し易くなり、内燃機関で使用した場合には噴霧状態が良好となるため、燃焼の不均一性及び失火を容易に抑制することができる。
【００４８】
軽油留分は、ＣＣＡＩが、８４０以下であり、７８０〜８４０であるものが好ましく、７８２〜８３５であるものがより好ましく、７８４〜８３０であるものがさらに好ましい。
軽油留分のＣＣＡＩが上記範囲内にあることにより、得られる重油組成物が過度に重質化し着火性が悪化することを容易に抑制し、またセジメントの発生を容易に抑制することができる。
【００４９】
本発明の重油組成物において、軽油留分の含有割合は、４０容量％〜８０容量％であり、４０容量％〜７６容量％であることが好ましく、４０容量％〜７２容量％であることがより好ましい。
【００５０】
本発明の重油組成物は、上記軽油留分を所定量含むとともに、上述した特定性状を有する直接脱硫重油および基材Ａを各々所定量含むことにより、性状の不安定化を抑制してセジメントの発生を抑制しつつ、硫黄分の含有割合を低減し、低動粘度にかつＣＣＡＩを所望範囲に容易に制御することができる。
【００５１】
本発明の重油組成物は、必要に応じて各種の添加剤を適宜含有するものであってもよい。
添加剤としては、流動性向上剤、流動点降下剤、酸化防止剤、スラッジ分散剤、エマルジョン防止剤、燃焼促進剤、腐食防止剤等公知の燃料添加剤が挙げられる。
添加剤は、１種単独であってもよく、又は２種以上の組み合わせでもよい。
【００５２】
本発明の重油組成物は、硫黄分含有量が、０．５０質量％以下であり、０．４７質量％以下であることが好ましく、０．４５質量％以下であることがより好ましい。
【００５３】
本発明の重油組成物は、各々特定性状を有する直接脱硫重油、基材Ａおよび軽油留分を各々所定量含むことにより、硫黄含有量を容易に０．５０質量％以下に制御することができる。
【００５４】
本発明の重油組成物は、窒素分の含有割合が、０．１２質量％以下であるものが好ましく、０．１１質量％以下であるものがより好ましく、０．１０質量％以下であるものがさらに好ましい。
【００５５】
本発明の重油組成物は、各々特定性状を有する直接脱硫重油、基材Ａおよび軽油留分を各々所定量含むことにより、窒素分含有量を容易に所望範囲に制御することができる。
【００５６】
本発明の重油組成物は、１５℃における密度が、０．８７００ｇ／ｃｍ３〜０．９６００ｇ／ｃｍ３であることが好ましく、０．８７００ｇ／ｃｍ３〜０．９５５０ｇ／ｃｍ３であることがより好ましく、０．８７００ｇ／ｃｍ３〜０．９５００ｇ／ｃｍ３であることがさらに好ましい。
【００５７】
本発明の重油組成物は、５０℃における動粘度が、４．００ｍｍ２／秒〜８０．００ｍｍ２／秒であり、４．００ｍｍ２／秒〜７５．００ｍｍ２／秒であることが好ましく、６．００ｍｍ２／秒〜７５．００ｍｍ２／秒であることがより好ましい。
本発明の重油組成物は、動粘度が上記範囲内にあることにより、工業炉やボイラー等に対して安定して供給することが可能となり、内燃機関で使用した場合には噴霧状態が良好となるため、燃焼の不均一性及び失火を抑制することができる。
また、本発明の重油組成物が低動粘度舶用Ｃ重油である場合、動粘度は４．００ｍｍ２／秒〜２０．００ｍｍ２／秒であることが好ましく、本発明の重油組成物が高動粘度舶用Ｃ重油である場合、動粘度は２０．００ｍｍ２／秒〜８０．００ｍｍ２／秒であることが好ましい。
【００５８】
本発明の重油組成物は、ＣＣＡＩが、８６０以下であり、８００〜８５９であることが好ましく、８００〜８５８であることがより好ましい。
【００５９】
本発明の重油組成物は、実在セジメントが、０．２０質量％以下（０質量％〜０．２０質量％）であり、０．１８質量％以下（０．００質量％〜  ０．１８質量％）であることが好ましく、０．１６質量％以下（０．００質量％〜０．１６質量％）であることがより好ましい。
【００６０】
本発明の重油組成物は、特定性状を有する軽油留分を所定量含むとともに、特定性状を有する直接脱硫重油および基材Ａを各々所定量含むものであることから、硫黄分の含有割合を０．５０質量％以下に低減し、窒素分の含有割合を低減し得るとともに、性状の不安定化を抑制してセジメントの発生を抑制し、低動粘度にかつＣＣＡＩを所望範囲に容易に制御することができる。
【００６１】
本発明の重油組成物は、後述する本発明の製造方法により好適に製造することができる。
【００６２】
本発明の重油組成物としては、Ｃ重油組成物を挙げることができ、係るＣ重油組成物は、例えば船舶用燃料等として好適に使用することができる。
【００６３】
本発明によれば、重質な基材を多量に含有する場合においても、硫黄分の含有割合を０．５０質量％以下に低減し、窒素分の含有割合を低減し得るとともに、セジメントの発生を抑制し、低動粘度にかつＣＣＡＩを所望範囲に容易に制御し得る新規な重油組成物を提供することができる。
【００６４】
次に、本発明の重油組成物の製造方法について説明する。
本発明の製造方法は、重油組成物を製造する方法であって、
硫黄分が０．５０質量％以下、実在セジメントが１．００質量％以下である直接脱硫重油が１０容量％以上３５容量％未満、
直接脱硫重油を除く基材であって、ＣＣＡＩが８９０〜９４０、硫黄分が０．２０質量％〜１．２０質量％、１５℃における密度が０．９９００ｇ／ｃｍ３〜１．０５５０ｇ／ｃｍ３である基材Ａが１０容量％〜２５容量％、
１５℃における密度が０．８３００ｇ／ｃｍ３〜０．９３００ｇ／ｃｍ３であり、ＣＣＡＩが８４０以下である軽油留分が４０容量％〜８０容量％となるように混合して、
硫黄分含有量が０．５０質量％以下、
５０℃における動粘度が４．００ｍｍ２／秒〜８０．００ｍｍ２／秒、
ＣＣＡＩが８６０以下、
実在セジメントが０．２０質量％以下
である重油組成物を得ることを特徴とするものである。
【００６５】
本発明の燃料油組物の製造方法において、上記直接脱硫重油、基材Ａおよび軽油留分の詳細は、上述したとおりである。
【００６６】
本発明の重油組成物の製造方法においては、直接脱硫重油を、１０容量％以上３５容量％未満混合し、１２容量％〜３５容量％混合することが好ましく、１４容量％〜３５容量％混合することがより好ましい。
【００６７】
本発明の重油組成物の製造方法において、上記特定性状を有する直接脱硫重油の混合割合を上記範囲にするとともに、各々特定性状を有する基材Ａおよび軽油留分を所定の混合割合で混合することにより、硫黄分の含有割合を０．５０質量％以下に低減し、窒素分の含有割合を低減し得るとともに、セジメントの発生を抑制し、低動粘度にかつＣＣＡＩを所望範囲に容易に制御することができる。
【００６８】
本発明の重油組成物の製造方法においては、基材Ａを、１０容量％〜２５容量％混合し、１２容量％〜２５容量％混合することが好ましく、１４容量％〜２５容量％混合することがより好ましい。
【００６９】
本発明の重油組成物の製造方法においては、軽油留分を、４０容量％〜８０容量％混合し、４０容量％〜７６容量％混合することが好ましく、４０容量％〜７２容量％混合することがより好ましい。
【００７０】
本発明の重油組成物の製造方法において、上記直接脱硫重油、基材Ａおよび軽油留分を、所望性状が得られるように任意の方法によって混合することにより目的とする重油組成物を容易に調製することができる。
【００７１】
本発明の重油組成物の製造方法においては、各々特定性状を有する直接脱硫重油、基材Ａおよび軽油留分を所定の割合で混合することにより、得られる重油組成物において、硫黄分および窒素分の含有割合を低減し、セジメントの発生を抑制しつつ、低動粘度にかつＣＣＡＩを所望範囲に容易に制御することができる。
【００７２】
本発明の製造方法で得られる重油組成物の詳細は、上述したとおりである。
本発明の製造方法で得られる重油組成物としては、特にＣ重油組成物を挙げることができ、係るＣ重油組成物は、例えば船舶用燃料等として好適に使用することができる。
【００７３】
本発明によれば、重質な基材を所定量含有する場合においても、硫黄分の含有割合を０．５０質量％以下に低減し、窒素分の含有割合を低減しつつ、セジメントの発生を抑制し、低動粘度にかつＣＣＡＩを所望範囲に容易に制御し得る新規な重油組成物の製造方法を提供することができる。
【実施例】
【００７４】
以下、本発明を実施例により更に詳細に説明するが、本発明は本実施例により何ら限定されるものではない。
【００７５】
（実施例１〜実施例１１および比較例１〜比較例１０）
表１に示す性状を有する、直接脱硫重油１、直接脱硫重油２、接触分解残渣油１、接触分解残渣油２、接触分解重油、接触分解軽油１、接触分解軽油２、間接脱硫軽油、直接脱硫軽油、水素化脱硫軽油、直接脱硫重質軽油、脱硫熱分解重質軽油、上記接触分解軽油２と水素化脱硫軽油との混合油（接触分解軽油２および水素化脱硫軽油の混合比が体積比で３：２）、市販のＣ重油を用いて、各々表２および表３に示す割合で配合することにより、実施例１〜実施例１１および比較例１〜比較例１０に係るＣ重油組成物を調製した。
上記接触分解残渣油１および接触分解残渣油２および接触分解重油が基材Ａに相当する（基材Ａの要件を満たす）基材であり、間接脱硫軽油、直接脱硫軽油、水素化脱硫軽油、直接脱硫重質軽油、脱硫熱分解重質軽油、接触分解軽油２と水素化脱硫軽油との混合油（接触分解軽油２および水素化脱硫軽油の混合比が体積比で３：２であるもの）が軽油留分に相当する（軽油留分の要件を満たす）基材である。
得られた各重油組成物の性状（硫黄分含有量、窒素分含有量、１５℃における密度、５０℃における動粘度、ＣＣＡＩ、実在セジメント）を測定した。結果を表２および表３に示す。
【００７６】
【表１】
2020132796.tif 000002
【００７７】
【表２】
2020132796.tif 000003
【００７８】
【表３】
2020132796.tif 000004
【００７９】
表２および表３より、実施例１〜実施例１１で得られた本発明の重油組成物は、各々特定性状を有する直接脱硫重油、基材Ａ（接触分解残渣油または接触分解重油）および軽油留分を特定の割合で配合してなる特定性状を有するものであることから、直接脱硫重油、接触分解残渣油または接触分解重油といった重質な基材を所定量含有するものであるにも拘わらず、硫黄分の含有割合を０．５０質量％以下に低減し、窒素分の含有割合が低減されるとともに、セジメントの発生を抑制し、低動粘度にかつＣＣＡＩを所望範囲に容易に制御し得る着火性に優れるものであることが分かる。
【００８０】
これに対して、比較例１〜比較例１０で得られた本発明の比較重油組成物は、直接脱硫重油の配合割合が所定範囲外であったり（比較例１、比較例２、比較例５、比較例６、比較例７、比較例９）、基材Ａ（接触分解残渣油または接触分解重油）の配合割合が所定範囲外であったり（比較例６、比較例７、比較例８）、軽油留分の配合割合が所定範囲外であったり（比較例５）、軽油留分として所定の性状を有さないものを含んだり（比較例１、比較例２、比較例３、比較例４、比較例８、比較例９）、所定の基材を所定割合で配合してなるものでない（比較例１０）ことから、実在セジメント量が多かったり（比較例６、比較例７）、ＣＣＡＩが高く着火性に劣ったり（比較例１、比較例２、比較例３、比較例４、比較例８、比較例９）、動粘度が高かったり（比較例５、比較例１０）、硫黄分含有量が多い（比較例１０）ものであることが分かる。
【産業上の利用可能性】
【００８１】
本発明によれば、重質な基材を所定量含有する場合においても、硫黄分の含有割合を０．５０質量％以下に低減し、窒素分の含有割合を低減し得るとともに、セジメントの発生を抑制し、低動粘度にかつＣＣＡＩを所望範囲に容易に制御し得る新規な重油組成物を提供するとともに、係る重油組成物の製造方法を提供することができる。